(57)【要約】      （修正有）【課題】建築物の壁や壁端部に配置されて壁や壁端部を保護・補強し、さらに化粧板を用いることで美観の向上をも図ることができる建築物の補強装飾体およびそれを用いた建築物を提供する。【解決手段】建築物Ｂの補強装飾体１であって、補強装飾体１は、上部化粧板１０と、下部化粧板２０と、保持板３０とを含み、上部化粧板１０は、保持板３０の上辺に沿わせて配設され、下部化粧板２０は、保持板３０の下辺に沿わせて配設され、保持板３０は、建築物Ｂの壁または壁端部に固着される。【選択図】図４
0003231585.tif 000002
【実用新案登録請求の範囲】
【請求項１】
建築物の補強装飾体であって、
前記補強装飾体は、上部化粧板と、下部化粧板と、保持板とを含み、
前記上部化粧板は、前記保持板の上辺に沿わせて配設され、
前記下部化粧板は、前記保持板の下辺に沿わせて配設され、
前記保持板は、前記建築物の壁または壁端部に固着されてなる
ことを特徴とする補強装飾体。
【請求項２】
保持板は、取付具を建築物の壁または壁端部に向けた辺の側縁に有し、
前記取付具が前記壁または前記壁端部にボルト・ナット留めを中心とした固定支持により前記保持板が同壁または同壁端部に固着されてなる
ことを特徴とする請求項１記載の補強装飾体。
【請求項３】
保持板の取付がなされる壁または壁端部に向けた辺が、前記壁または前記壁端部に沿うような形状とされてなることを特徴とする請求項２記載の補強装飾体。
【請求項４】
保持板は、上辺に上辺側切欠を有し、下辺に下辺側切欠を有し、
前記上辺側切欠に上部化粧板取付部材が配設され、
前記下辺側切欠に下部化粧板取付部材が配設され、
前記上部化粧板取付部材に上部化粧板がビス留めされ、
前記下部化粧板取付部材に下部化粧板がビス留めされてなる
ことを特徴とする請求項１記載の補強装飾体。
【請求項５】
上部化粧板は、裏面に断熱性および防水性を有する部材を備え、
下部化粧板は、裏面に断熱性および防水性を有する部材を備えてなる
ことを特徴とする請求項１記載の補強装飾体。
【請求項６】
上部化粧板は、裏面に防水シートを備えてなることを特徴とする請求項５記載の補強装飾体。
【請求項７】
上部化粧板の下部に下地材が配設されてなることを特徴とする請求項５記載の補強装飾体。
【請求項８】
下地材は耐火性を有する板材とされてなることを特徴とする請求項７記載の補強装飾体。
【請求項９】
上部化粧板がカラー鋼板とされてなることを特徴とする請求項１記載の補強装飾体。
【請求項１０】
下部化粧板がカラー鋼板とされてなることを特徴とする請求項１記載の補強装飾体。
【請求項１１】
請求項１ないし請求項１０のいずれか一項に記載の補強装飾体を備えてなることを特徴とする建築物。
【考案の詳細な説明】
【技術分野】
【０００１】
本考案は、ビルや住宅さらには体育館、競泳プール、大規模イベントホールなどの建築物の補強装飾体およびそれを用いたビルや住宅さらには体育館、競泳プール施設、大規模イベントホールなどの建築物に関する。さらに詳しくは、建築物の壁や壁端部に配置されて壁や壁端部を保護・補強し、さらに化粧板を用いることで美観の向上をも図ることができるビルや住宅さらには体育館、競泳プール施設、大規模イベントホールなどの建築物の補強装飾体およびそれを用いたビルや住宅さらには体育館、競泳プール施設、大規模イベントホールなどの建築物に関する。
【背景技術】
【０００２】
従来より、建築物においては各種の構造様式が知られている。例えば、木造住宅などの木造建築物、鉄骨プレハブ住宅などの鉄骨プレハブ建築物、鉄筋コンクリート住宅などの鉄筋コンクリート建築物等が知られている。
【０００３】
これらの建築物においては、屋外立ち上がり壁の端部をコの字型に成形した金物、いわゆる笠木を用いて装飾を兼ねながら雨仕舞がなされている。
【０００４】
しかしながら、雨風が激しいときには、笠木と壁の隙間から吹き上げ風により雨水が室内に進入するおそれがある。また、笠木は簡素な構造の物がほとんどであるところから、その美的効果は小さい。
【０００５】
一方、鉄筋コンクリート建築物においては、一般的に笠木を用いることなく壁端部の仕舞がなされているところから、鉄筋コンクリート建築物の端部は雨水に曝されることになる。その結果、近時の酸性雨によりコンクリートの劣化が進行してコンクリートの表面に亀裂が生ずる。かかる亀裂が生ずると、その亀裂から雨水や空気がコンクリートの内部に進入して鉄筋を酸化させてその強度を低下させる。その上、鉄筋の酸化が進行すると、錆により鉄筋が膨張しその膨張によりコンクリートが破壊されるという事態も発生する。かかる事態にまで至ると、鉄筋コンクリート造の建築物の構造強度は著しく低下しその耐久性が著しく損なわれる。
【０００６】
同様のことは、体育館、競泳プール施設、大規模イベントホールなど公共施設に関する建築物にも起こりうる。
【０００７】
なお、鉄筋コンクリート建築物の壁面の装飾については、例えば特許文献１に、図７に示すように、基壁面２０１に面状に複数のタイル２１０が配列して着脱自在に係着し、タイル２１０が係着されていない部分に鉢状タイル２２０が係着する壁面構造２００であり、タイル２１０が縦横に格子状に配置されてタイル２１０面を構成し、タイル２１０が欠落した箇所に対応する部分に鉢状タイル２２０が係着し、鉢状タイル２２０の幅の整数倍と、タイル２１０の横幅の整数倍と略等しくされ、鉢状タイル２２０の高さの整数倍と、タイル２１０の縦幅の整数倍とが略等しくされて、欠落した箇所に鉢状タイル２２０が嵌め込まれる壁面構造２００が提案されている。
【先行技術文献】
【特許文献】
【０００８】
【特許文献１】特開２００６−１１８１１９号公報
【考案の開示】
【考案が解決しようとする課題】
【０００９】
本考案はかかる従来技術の課題に鑑みなされたものであって、建築物の壁や壁端部に配置されて壁や壁端部を保護・補強し、さらに化粧板を用いることで美観の向上をも図ることができる建築物の補強装飾体およびそれを用いた建築物を提供することを目的としている。
【課題を解決するための手段】
【００１０】
本考案の補強装飾体は、建築物の補強装飾体であって、前記補強装飾体は、上部化粧板と、下部化粧板と、保持板とを含み、前記上部化粧板は、前記保持板の上辺に沿わせて配設され、前記下部化粧板は、前記保持板の下辺に沿わせて配設され、前記保持板は、前記建築物の壁または壁端部に固着されてなることを特徴とする。
【００１１】
本考案の補強装飾体においては、保持板は、取付具を建築物の壁または壁端部に向けた辺の側縁に有し、前記取付具が前記壁または前記壁端部にボルト・ナット留めを中心とした固定支持により前記保持板が同壁または同壁端部に固着されてなるのが好ましい。
【００１２】
また、本考案の補強装飾体においては、保持板の取付がなされる壁または壁端部に向けた辺が、前記壁または前記壁端部に沿うような形状とされてなるのが好ましい。
【００１３】
さらに、本考案の補強装飾体においては、保持板は、上辺に上辺側切欠を有し、下辺に下辺側切欠を有し、前記上辺側切欠に上部化粧板取付部材が配設され、前記下辺側切欠に下部化粧板取付部材が配設され、前記上部化粧板取付部材に上部化粧板がビス留めされ、前記下部化粧板取付部材に下部化粧板がビス留めされてなるのが好ましい。
【００１４】
さらに、本考案の補強装飾体においては、上部化粧板は、裏面に断熱性および防水性を有する部材を備え、下部化粧板は、裏面に断熱性および防水性を有する部材を備えてなるのが好ましい。この場合、上部化粧板は、裏面に防水シートを備えてなるのがさらに好ましい。
【００１５】
さらに、本考案の補強装飾体においては、上部化粧板の下部に下地材が配設されてなるのが好ましく、下地材は耐火性を有する板材とされてなるのがさらに好ましい。
【００１６】
さらに、本考案の補強装飾体においては、上部化粧板がカラー鋼板とされてなるのが好ましい。
【００１７】
さらに、本考案の補強装飾体においては、下部化粧板がカラー鋼板とされてなるのが好ましい。
【００１８】
しかして、前記補強装飾体は建築物に備えられる。
【考案の効果】
【００１９】
本考案の補強装飾体は、前記の如く構成されているので、建築物の壁や壁端部を保護および補強し、さらに美的効果を発揮するという優れた効果を奏する。
【００２０】
本考案の好ましい形態においては、上部化粧板は裏面に断熱性および防水性を有する部材を備え、かつ、下部化粧板は裏面に断熱性および防水性を有する部材を備えているので、断熱性および防水性も向上するという優れた効果を奏する。
【図面の簡単な説明】
【００２１】
【図１】本考案の一実施形態の建築物の補強装飾体を備えた鉄筋コンクリート建築物の正面図である。
【図２】同平面図である。
【図３】同要部概略断面図である。
【図４】同実施形態の補強装飾体の要部断面図である。
【図５】同補強装飾体の要部詳細図であって、同(ａ)は上辺を示し、同(ｂ)は下辺を示す。
【図６】同補強装飾体の変形例の図３相当図である。
【図７】特許文献１の提案に係る壁面構造の概略図である。
【考案を実施するための形態】
【００２２】
以下、添付図面を参照しながら本考案を実施形態に基づいて説明するが、本考案はかかる実施形態のみに限定されるものではない。
【００２３】
図１ないし図３に、本考案の一実施形態の補強装飾体１により保護・補強・装飾がなされた鉄筋コンクリート建築物(以下、単に建築物という)Ｂを示す。
【００２４】
補強装飾体１は、図１ないし図３に示すように、建築物Ｂの壁から外方に突出させられて建築物Ｂを保護・補強・装飾するものとされる。
【００２５】
補強装飾体１は、図４に示すように、上部化粧板１０と、下部化粧板２０と、上部化粧板１０および下部化粧板２０の形状を保持する保持板３０とを含むものとされる。
【００２６】
上部化粧板１０は、図４に示すように、保持板３０の上辺に沿わせて外方に向けて頂部が下り勾配とされた建築物Ｂの壁に後部が載置され、前部が周壁上面から外方に向けて突出させられてなるものであって、例えば厚みが０．５ｍｍ前後の鋼板からなる鋼板葺とされ、明瞭には図示はされていないが、先端部と後端部を除いた裏面全面に断熱性と防水性を兼ね備えた厚みが１０ｍｍ前後のパネルが貼着されている。ここで、上部化粧板１０はカラー鋼板とされてもよい。なお、前記パネルの貼着は必要に応じてなされればよく、必ずしも必要はない。
【００２７】
また、同様に明瞭には図示はされていないが、前記パネル裏面には、厚みが１ｍｍ前後の防水シートが貼着されている。
【００２８】
前記構成とされた上部化粧板１０の裏面下部には、下地材４０が配設されている。下地材４０の板厚は、例えば１８ｍｍ−２５ｍｍ程度とされている。ここで、下地材４０は、耐火性を有する板材、例えば高圧木毛セメント板とされるのが好ましい。
【００２９】
下部化粧板２０は、図４に示すように、保持板３０の下辺に沿わせて壁から外方に向けて斜め上向きに配設され、その先端は上部化粧板１０先端部下部に位置させられてなるものであって、例えば厚みが０．５ｍｍ前後の鋼板からなる鋼板葺とされ、明瞭には図示はされていないが、先端部と後端部を除いた上面全面に断熱性および防水性を兼ね備えた厚みが１０ｍｍ前後のパネルが貼着されている。ここで、下部化粧板２０はカラー鋼板とされてもよい。なお、前記パネルの貼着は必要に応じてなされればよく、必ずしも必要はない。
【００３０】
保持板３０は、例えば厚みが２．３ｍｍ前後のガルバリウム鋼板（日本製鉄株式会社の登録商標）からなる三角形状板とされ、建築物１の外壁面に沿って例えば２０ｃｍ−９０ｃｍ間隔で配設されている。保持板３０の建築物Ｂ側端部は、図４に示すように、取付がなされる建築物Ｂの外壁形状に応じて沿うよう切り欠きがなされている。また、保持板３０の建築物Ｂ外壁面と当接する箇所には、保持板３０を建築物Ｂ外壁面に取り付けるための取付具３１が配設されている。保持板３０は、この取付具３１を介して建築物Ｂ外壁にボルト・ナット留めを中心とした固定支持にて取り付けられている。なお、図示例においては、取付具３１は、上下に二か所配設されている。
【００３１】
図５に、上部化粧板１０および下部化粧板２０を取り付けるために保持板３０に配設されている化粧板取付部材５０を示す。なお、図５(ａ)は上辺を示し、同(ｂ)は下辺を示す。
【００３２】
上部化粧板１０を取り付ける上部化粧板取付部材５１は、図５(ａ)に示すように、溝型鋼とされその底面を保持板３０上辺と面一になるようにして保持板３０上辺に形成されている上辺側溝型切欠３２に配設されている。溝型鋼(上部化粧板取付部材) ５１はその位置ずれを防止するため、保持板３０に固着されている。例えば、留め溶接にて固着されている。
【００３３】
下部化粧板２０を取り付ける下部化粧板取付部材５２は、図５(ｂ)に示すように、溝型鋼とされその底面を保持板下辺と面一になるようにして保持板下辺に形成されている下辺側溝型切欠３３に配設されている。溝型鋼(下部化粧板取付部材)５２はその位置ずれを防止するため、保持板３０に固着されている。例えば、留め溶接にて固着されている。
【００３４】
次にかかる構成とされた補強装飾体１によるその保護、補強、装飾施工の一例について説明する。
【００３５】
ステップ１：保持板３０を所定間隔で建築物Ｂ壁面の所定位置に配設する。つまり、保持板３０の取付具３１を建築物１壁面にボルト・ナット留めを中心とした固定支持より固着する。
【００３６】
ステップ２：保持板３０の上辺に設けられている溝型切欠３２に上部化粧板取付部材５１を配設して溶接留めする。
【００３７】
ステップ３：保持板３０の下辺に設けられている溝型切欠３３に下部化粧板取付部材５２を配設して溶接留めする。
【００３８】
ステップ４：保持板３０に上部化粧板１０を配設して上部化粧板取付部材５１にビス留めする。
【００３９】
ステップ５：保持板３０に下部化粧板２０を配設して下部化粧板取付部材５２にビス留めする。
【００４０】
ステップ６：上部化粧板１０の先端部と下部化粧板２０の先端部とを水封金物６０により水封する。
【００４１】
ステップ７：下部化粧板２０の基端部と建築物Ｂ壁面との隙間をシール部材によりシールする。
【００４２】
ステップ８：直交する上部化粧板１０，１０相互の端部の仕舞を行う。この仕舞は、例えば上部化粧板１０，１０相互の端部を折り返し重ね合わせることによりなされる。
【００４３】
ステップ９：直交する下部化粧板２０，２０相互の端部の仕舞を行う。この仕舞は、例えば下部化粧板２０，２０相互の端部を折り返し重ね合わせることによりなされる。
【００４４】
かかる一連の作業により建築物Ｂの壁や壁端部の保護、補強および装飾がなされる。
【００４５】
以上、本考案を実施形態に基づいて説明してきたが、本考案はかかる実施形態のみに限定されるものではなく、種々改変が可能である。
【００４６】
例えば、本実施形態では、上部化粧板１０は、下り勾配とされているが、図６に示すように、上部化粧板１０は保持板３０の上辺に沿わせて外方に向けて頂部が上り勾配とされた建築物Ｂの壁に後部が載置されるようにされてもよい。
【００４７】
また、本実施形態では、保持板３０は三角形状とされているが、例えば円弧状とすることもできる。
【００４８】
さらに、本実施形態ではビルを中心に説明されているが、本考案の適用はビルに限定されるものではなく、体育館、競泳プール施設、大規模イベントホールなどの公共施設にも適用が可能である。また、当然のことながら木造住宅にも適用が可能である。
【産業上の利用可能性】
【００４９】
本考案は建築産業に適用できる。
【符号の説明】
【００５０】
１      補強装飾体
１０      上部化粧板
２０      下部化粧板
３０      保持板
３１      取付具
３２      上辺側溝型切欠
３３      下辺側溝型切欠
４０      下地材
５０      化粧板取付部材
５１      上部化粧板取付部材、溝型鋼
５２      下部化粧板取付部材、溝型鋼
６０      水封金物
Ｂ      鉄筋コンクリート建築物 
【図１】
0003231585.tif 000003
【図２】
0003231585.tif 000004
【図３】
0003231585.tif 000005
【図４】
0003231585.tif 000006
【図５】
0003231585.tif 000007
【図６】
0003231585.tif 000008
【図７】
0003231585.tif 000009